(57)【要約】【課題】暗号化コンテンツを通信回線を利用せずに提供し、通信回線の負荷軽減を図る。【解決手段】コンテンツ暗号化装置１１で暗号化コンテンツを生成し、暗号化コンテンツ複製装置１６にて暗号化コンテンツを情報記憶媒体１８に複製する。複製情報記憶媒体１８は販売または無料配布されるものとする。ユーザは、この複製情報記憶媒体１８を入手し、ユーザ端末装置１７に接続またはセットし、コンテンツ鍵配信装置１４にアクセスして、媒体１８の媒体情報の一部または全部をコンテンツ鍵配信装置１４に提示する。コンテンツ鍵配信装置１４では、複製媒体１８の全媒体情報を複製コンテンツと共に把握しており、ユーザ提示情報を基に、コンテンツ鍵暗号化装置１２に暗号化コンテンツ鍵を発行させ、ユーザ端末装置１７に配信する。【選択図】    図１
2007110684.tif 000002
【特許請求の範囲】
【請求項１】
コンテンツ情報が少なくとも媒体固有識別子及び媒体鍵情報の媒体情報と共に書き込まれた情報記憶媒体から前記コンテンツ情報を再生可能とするユーザ端末装置に対して前記コンテンツ情報の視聴を許可する情報提供システムであって、
前記コンテンツ情報の著作権保有者または著作権管理者からコンテンツ情報と共にコンテンツ鍵生成条件を取得し、前記コンテンツ鍵生成条件を基にコンテンツ鍵を生成し、このコンテンツ鍵によって前記コンテンツ情報を暗号化して暗号化コンテンツを生成するコンテンツ暗号化装置と、
前記コンテンツ暗号化装置で生成される暗号化コンテンツを前記媒体情報が書き込まれた情報記録媒体に書き込んで前記暗号化コンテンツが複製された複製情報記録媒体を作成するコンテンツ情報複製装置と、
前記コンテンツ暗号化装置で生成されるコンテンツ鍵を蓄積すると共に、前記情報記憶媒体の媒体情報の全部または一部を登録し、前記ユーザ端末装置から前記複製情報記録媒体のコンテンツ視聴要求時に提示される媒体情報または媒体情報及び前記ユーザ端末装置の装置固有情報を用いて前記視聴要求に対応するコンテンツ鍵を暗号化して暗号化コンテンツ鍵を生成するコンテンツ鍵暗号化装置と、
前記コンテンツ情報複製装置から前記複製情報記録媒体それぞれの媒体情報を取得して蓄積し、前記ユーザ端末装置から前記複製情報記録媒体のコンテンツ視聴要求を受け付け、その受付時に前記複製情報記録媒体の媒体情報を取得して前記蓄積媒体情報と比較照合し一致した媒体情報を前記コンテンツ鍵暗号化装置に送り、当該装置からの暗号化コンテンツ鍵を、通信回線を通じて要求元のユーザ端末装置に配信する暗号化コンテンツ鍵配信装置とを具備し、
前記ユーザ端末装置は、前記複製情報記憶媒体を視聴する際に、前記通信回線を介して前記コンテンツ鍵配信装置にアクセスし、前記複製情報記憶媒体に記憶される媒体情報または媒体情報及び装置固有情報を提示することで、前記暗号化コンテンツ鍵配信装置から前記複製情報記憶媒体に記憶された暗号化コンテンツを復号するための暗号化コンテンツ鍵を取得し、コンテンツ鍵を復号する情報提供システム。
【請求項２】
コンテンツ情報が少なくとも媒体固有識別子及び媒体鍵情報の媒体情報と共に書き込まれた情報記憶媒体から前記コンテンツ情報を再生可能とするユーザ端末装置に対して前記コンテンツ情報の視聴を許可する情報提供システムであって、
前記コンテンツ情報の著作権保有者または著作権管理者からコンテンツ情報と共にコンテンツ鍵生成条件を取得し、前記コンテンツ鍵生成条件を基にコンテンツ鍵を生成し、このコンテンツ鍵によって前記コンテンツ情報を暗号化して暗号化コンテンツを生成するコンテンツ暗号化装置と、
前記コンテンツ暗号化装置で生成される暗号化コンテンツを前記媒体情報が書き込まれた情報記憶媒体に書き込んで前記暗号化コンテンツが複製された複製情報記録媒体を作成するコンテンツ情報複製装置と、
前記コンテンツ暗号化装置で生成されるコンテンツ鍵を蓄積すると共に、前記情報記憶媒体の媒体情報の全部または一部を登録し、前記ユーザ端末装置から前記複製情報記録媒体のコンテンツ視聴要求時に提示される媒体情報または媒体情報及び前記ユーザ端末装置の装置固有情報を用いて前記視聴要求に対応するコンテンツ鍵を暗号化して暗号化コンテンツ鍵を生成するコンテンツ鍵暗号化装置と、
前記コンテンツ情報複製装置から前記複製情報記録媒体それぞれの媒体情報を取得して蓄積し、前記ユーザ端末装置から前記複製情報記録媒体のコンテンツ視聴要求を受け付け、その受付時に前記複製情報記録媒体の媒体情報を取得して前記蓄積媒体情報と比較照合し一致した媒体情報を前記コンテンツ鍵暗号化装置に送り、当該装置からの暗号化コンテンツ鍵を、通信回線を通じて要求元のユーザ端末装置に配信する暗号化コンテンツ鍵配信装置とを備える情報提供システムに用いられる前記コンテンツ情報複製装置であって、
前記コンテンツ暗号化装置で生成される暗号化コンテンツを格納する暗号化コンテンツ格納部と、
前記暗号化コンテンツ格納部から順次指定される暗号化コンテンツを読み出して、前記媒体情報が書き込まれた情報記憶媒体に書き込んで前記暗号化コンテンツの複製を作成する複製処理部と、
前記暗号化コンテンツが複製された複製情報記憶媒体の媒体情報を前記コンテンツ鍵配信装置に送信し蓄積させる媒体情報発行部とを具備する情報提供システムのコンテンツ情報複製装置。
【請求項３】
情報提供システムに用いられ、コンテンツ情報が少なくとも媒体固有識別子及び媒体鍵情報の媒体情報と共に書き込まれた情報記憶媒体から前記コンテンツ情報を再生可能とするユーザ端末装置であって、
前記情報提供システムが、
前記コンテンツ情報の著作権保有者または著作権管理者からコンテンツ情報と共にコンテンツ鍵生成条件を取得し、前記コンテンツ鍵生成条件を基にコンテンツ鍵を生成し、このコンテンツ鍵によって前記コンテンツ情報を暗号化して暗号化コンテンツを生成するコンテンツ暗号化装置と、
前記コンテンツ暗号化装置で生成される暗号化コンテンツを前記媒体情報が書き込まれた情報記録媒体に書き込んで前記暗号化コンテンツが複製された複製情報記録媒体を作成するコンテンツ情報複製装置と、
前記コンテンツ暗号化装置で生成されるコンテンツ鍵を蓄積すると共に、前記情報記憶媒体の媒体情報の全部または一部を登録し、前記ユーザ端末装置から前記複製情報記録媒体のコンテンツ視聴要求時に提示される媒体情報または媒体情報及び前記ユーザ端末装置の装置固有情報を用いて前記視聴要求に対応するコンテンツ鍵を暗号化して暗号化コンテンツ鍵を生成するコンテンツ鍵暗号化装置と、
前記暗号化コンテンツ複製装置から前記複製情報記録媒体それぞれの媒体情報を取得して蓄積し、前記ユーザ端末装置から前記複製情報記録媒体のコンテンツ視聴要求を受け付け、その受付時に前記複製情報記録媒体の媒体情報を取得して前記蓄積媒体情報と比較照合し位置した媒体情報を前記コンテンツ鍵暗号化装置に送り、当該装置からの暗号化コンテンツ鍵を、通信回線を通じて要求元のユーザ端末装置に配信する暗号化コンテンツ鍵配信装置とを備え、
前記複製情報記憶媒体を視聴する際に、前記通信回線を介して前記コンテンツ鍵配信装置にアクセスするアクセス手段と、
前記複製情報記憶媒体に記憶される媒体情報または媒体情報及び装置固有情報を提示することによって前記暗号化コンテンツ鍵配信装置から配信される暗号化コンテンツ鍵を取得する暗号化コンテンツ鍵取得手段と、
前記暗号化コンテンツ鍵を前記複製情報記憶媒体に記憶される媒体情報または媒体情報及び装置固有情報に基づいて復号するコンテンツ鍵復号手段と、
前記復号されたコンテンツ鍵を用いて前記複製情報記憶媒体に記録された暗号化コンテンツを復号再生するコンテンツ再生手段と
を具備することを特徴とする情報提供システムのユーザ端末装置。
【請求項４】
コンテンツ情報が少なくとも媒体固有識別子及び媒体鍵情報の媒体情報と共に書き込まれた情報記憶媒体から前記コンテンツ情報を再生可能とするユーザ端末装置に対して前記コンテンツ情報の視聴を許可する情報提供システムであって、
前記コンテンツ情報の著作権保有者または著作権管理者からコンテンツ情報と共にコンテンツ鍵生成条件を取得し、前記コンテンツ鍵生成条件を基にコンテンツ鍵を生成し、このコンテンツ鍵によって前記コンテンツ情報を暗号化して暗号化コンテンツを生成するコンテンツ暗号化装置と、
前記コンテンツ暗号化装置で生成される暗号化コンテンツを前記媒体情報が書き込まれた情報記録媒体に書き込んで前記暗号化コンテンツが複製された複製情報記録媒体を作成するコンテンツ情報複製装置と、
前記コンテンツ暗号化装置で生成されるコンテンツ鍵を蓄積すると共に、前記情報記憶媒体の媒体情報の全部または一部を登録し、前記ユーザ端末装置から前記複製情報記録媒体のコンテンツ視聴要求時に提示される媒体情報または媒体情報及び前記ユーザ端末装置の装置固有情報を用いて前記視聴要求に対応するコンテンツ鍵を暗号化して暗号化コンテンツ鍵を生成するコンテンツ鍵暗号化装置と、
前記コンテンツ情報複製装置から前記複製情報記録媒体それぞれの媒体情報を取得して蓄積し、前記ユーザ端末装置から前記複製情報記録媒体のコンテンツ視聴要求を受け付け、その受付時に前記複製情報記録媒体の媒体情報を取得して前記蓄積媒体情報と比較照合し一致した媒体情報を前記コンテンツ鍵暗号化装置に送り、当該装置からの暗号化コンテンツ鍵を、通信回線を通じて要求元のユーザ端末装置に配信する暗号化コンテンツ鍵配信装置とを備える情報提供システムに用いられ、
前記暗号化コンテンツ鍵配信装置の暗号化コンテンツ鍵配信先のユーザ情報を蓄積するユーザ情報蓄積手段を備える情報提供システムのユーザ管理装置。
【請求項５】
さらに、前記暗号化コンテンツ鍵配信装置の暗号化コンテンツ鍵配信時に配信先のユーザ端末装置に対する課金処理を行う課金処理手段を備える請求項４記載の情報提供システムのユーザ管理装置。
【請求項６】
前記ユーザ管理装置は、前記ユーザ端末装置に対する電子マネーの決済を受けてから前記暗号化コンテンツ鍵配信装置に該当する暗号化コンテンツ鍵を配信することを特徴とする請求項５記載の情報提供システムのユーザ管理装置。
【発明の詳細な説明】
【技術分野】
【０００１】
本発明は、ユーザ側の端末装置に対してコンテンツ情報を提供する情報提供システムと、このシステムに用いられるコンテンツ情報複製装置、ユーザ端末装置及びユーザ管理装置に関する。
【背景技術】
【０００２】
近年、インターネット等の通信技術、デジタル信号処理によるデータ圧縮技術等の発達により、通信回線を利用して、膨大なデータ量のコンテンツを配信することが可能となり、場所、時間を問わず、楽曲、映画、ゲーム等のコンテンツ配信サービスを受けられるようになった。このコンテンツ配信サービスを実現する情報提供システムでは、購入・視聴希望者（以下、ユーザ）が通信端末機器を通じてコンテンツ配信センターへアクセスし、当該センターから所望のダウンロードする、またはストリーム配信を受ける構成が一般的である。
【０００３】
但し、現状では、ユーザがセンターにアクセスしても、人気、話題性のあるコンテンツは、コンテンツの紹介、宣伝用コンテンツが提供されるのみで、視聴用コンテンツは、そのコンテンツが記録されたメディアの通信販売によって流通される場合が多い。理由として、コンテンツの著作権保有者（または著作権管理者、以下、両者の概念を総称して著作権保有者と称する場合も有る）が未だ通信回線を利用したユーザ端末装置への配信に関して、不正コピーなどの著作権侵害によって多大な損害を受けることを懸念しているためである。このように、コンテンツ配信サービスは、ユーザからの要望あるいはビジネス的魅力があっても、不正流通の問題が足かせとなり、重要なコンテンツの配信には極めて消極的な状況にある。
【０００４】
そこで、最近では、情報記憶媒体とユーザ端末装置において、それぞれライセンス機関からライセンスされる情報をもとに著作権保護を行い、コンテンツの不正流通を防ぐための技術が提供されている。この技術は、Content Protection for Recordable Media（ＣＰＲＭ）及びAdvanced access content system（ＡＡＣＳ）として一般に公知となっている。
【０００５】
また、特許文献１には、万全な著作権保護の実現を目的としたコンテンツ配信サービス用の情報提供システムが開示されている。このシステムは、上記ＣＰＲＭの技術を利用して、情報記憶媒体、ユーザ端末装置、コンテンツ暗号化装置及びコンテンツ鍵暗号化装置において、ライセンス機関から与えられるライセンス情報をもとに著作権保護を行う。また、コンテンツ配信センターにおいては、コンテンツを暗号化した状態で管理し、センター内外からのコンテンツ不正流出、及び、各事業者、各装置間の認証処理もコントロール可能とする、広範囲でかつ多様な著作権保護を実現する。
【０００６】
しかしながら、上記のような従来の情報提供システムでは、膨大なデータ量を有する暗号化コンテンツを通信回線で伝送するため、利用ユーザが増えるに従って通信回線のトラフィックが膨れ上がり、ダウンロードに時間がかかるだけでなく、通信障害の要因になりかねない。また、ユーザ登録しなければコンテンツ情報の入手ができないことが、ユーザ登録の敷居を高くしている要因となっている。
【特許文献１】特開２００４−３５１５０公報
【発明の開示】
【発明が解決しようとする課題】
【０００７】
以上述べたように、従来の情報提供システムでは、膨大なデータ量を有するコンテンツ情報を通信回線で伝送するには、通信回線の伝送容量によっては負荷が大きすぎることが問題となっている。また、ユーザ登録しなければコンテンツ情報の入手ができないことが、ユーザ登録の敷居を高くしている要因となっている。
【０００８】
本発明は、上記の問題を解決するためになされたもので、膨大なデータ量を有するコンテンツ情報を、高速の通信回線を利用せず配布の形式で流通させても、またユーザ登録前の状態でも、十分な著作権保護を確保することのできる情報提供システムとそのコンテンツ情報複製装置、ユーザ端末装置及びユーザ管理装置を提供することを目的とする。
【課題を解決するための手段】
【０００９】
上記の目的を達成するために本発明に係る情報提供システムは、コンテンツ情報が少なくとも媒体固有識別子及び媒体鍵情報の媒体情報と共に書き込まれた情報記憶媒体から前記コンテンツ情報を再生可能とするユーザ端末装置に対して前記コンテンツ情報の視聴を許可する情報提供システムであって、前記コンテンツ情報の著作権保有者または著作権管理者からコンテンツ情報と共にコンテンツ鍵生成条件を取得し、前記コンテンツ鍵生成条件を基にコンテンツ鍵を生成し、このコンテンツ鍵によって前記コンテンツ情報を暗号化して暗号化コンテンツを生成するコンテンツ暗号化装置と、前記コンテンツ暗号化装置で生成される暗号化コンテンツを前記媒体情報が書き込まれた情報記録媒体に書き込んで前記暗号化コンテンツが複製された複製情報記録媒体を作成するコンテンツ情報複製装置と、前記コンテンツ暗号化装置で生成されるコンテンツ鍵を蓄積すると共に、前記情報記憶媒体の媒体情報の全部または一部を登録し、前記ユーザ端末装置から前記複製情報記録媒体のコンテンツ視聴要求時に提示される媒体情報または媒体情報及び前記ユーザ端末装置の装置固有情報を用いて前記視聴要求に対応するコンテンツ鍵を暗号化して暗号化コンテンツ鍵を生成するコンテンツ鍵暗号化装置と、前記コンテンツ情報複製装置から前記複製情報記録媒体それぞれの媒体情報を取得して蓄積し、前記ユーザ端末装置から前記複製情報記録媒体のコンテンツ視聴要求を受け付け、その受付時に前記複製情報記録媒体の媒体情報を取得して前記蓄積媒体情報と比較照合し一致した媒体情報を前記コンテンツ鍵暗号化装置に送り、当該装置からの暗号化コンテンツ鍵を、通信回線を通じて要求元のユーザ端末装置に配信する暗号化コンテンツ鍵配信装置とを具備し、前記ユーザ端末装置は、前記複製情報記憶媒体を視聴する際に、前記通信回線を介して前記コンテンツ鍵配信装置にアクセスし、前記複製情報記憶媒体に記憶される媒体情報または媒体情報及び装置固有情報を提示することで、前記暗号化コンテンツ鍵配信装置から前記複製情報記憶媒体に記憶された暗号化コンテンツを復号するための暗号化コンテンツ鍵を取得し、コンテンツ鍵を復号することを特徴とする。
【００１０】
また、本発明に係るコンテンツ情報複製装置は、コンテンツ情報が少なくとも媒体固有識別子及び媒体鍵情報の媒体情報と共に書き込まれた情報記憶媒体から前記コンテンツ情報を再生可能とするユーザ端末装置に対して前記コンテンツ情報の視聴を許可する情報提供システムであって、前記コンテンツ情報の著作権保有者または著作権管理者からコンテンツ情報と共にコンテンツ鍵生成条件を取得し、前記コンテンツ鍵生成条件を基にコンテンツ鍵を生成し、このコンテンツ鍵によって前記コンテンツ情報を暗号化して暗号化コンテンツを生成するコンテンツ暗号化装置と、前記コンテンツ暗号化装置で生成される暗号化コンテンツを前記媒体情報が書き込まれた情報記憶媒体に書き込んで前記暗号化コンテンツが複製された複製情報記録媒体を作成するコンテンツ情報複製装置と、前記コンテンツ暗号化装置で生成されるコンテンツ鍵を蓄積すると共に、前記情報記憶媒体の媒体情報の全部または一部を登録し、前記ユーザ端末装置から前記複製情報記録媒体のコンテンツ視聴要求時に提示される媒体情報または媒体情報及び前記ユーザ端末装置の装置固有情報を用いて前記視聴要求に対応するコンテンツ鍵を暗号化して暗号化コンテンツ鍵を生成するコンテンツ鍵暗号化装置と、前記コンテンツ情報複製装置から前記複製情報記録媒体それぞれの媒体情報を取得して蓄積し、前記ユーザ端末装置から前記複製情報記録媒体のコンテンツ視聴要求を受け付け、その受付時に前記複製情報記録媒体の媒体情報を取得して前記蓄積媒体情報と比較照合し一致した媒体情報を前記コンテンツ鍵暗号化装置に送り、当該装置からの暗号化コンテンツ鍵を、通信回線を通じて要求元のユーザ端末装置に配信する暗号化コンテンツ鍵配信装置とを備える情報提供システムに用いられる前記コンテンツ情報複製装置であって、前記コンテンツ暗号化装置で生成される暗号化コンテンツを格納する暗号化コンテンツ格納部と、前記暗号化コンテンツ格納部から順次指定される暗号化コンテンツを読み出して、前記媒体情報が書き込まれた情報記憶媒体に書き込んで前記暗号化コンテンツの複製を作成する複製処理部と、前記暗号化コンテンツが複製された複製情報記憶媒体の媒体情報を前記コンテンツ鍵配信装置に送信し蓄積させる媒体情報発行部とを具備することを特徴とする。
【００１１】
また、本発明に係るユーザ端末装置は、情報提供システムに用いられ、コンテンツ情報が少なくとも媒体固有識別子及び媒体鍵情報の媒体情報と共に書き込まれた情報記憶媒体から前記コンテンツ情報を再生可能とするユーザ端末装置であって、前記情報提供システムが、前記コンテンツ情報の著作権保有者または著作権管理者からコンテンツ情報と共にコンテンツ鍵生成条件を取得し、前記コンテンツ鍵生成条件を基にコンテンツ鍵を生成し、このコンテンツ鍵によって前記コンテンツ情報を暗号化して暗号化コンテンツを生成するコンテンツ暗号化装置と、前記コンテンツ暗号化装置で生成される暗号化コンテンツを前記媒体情報が書き込まれた情報記録媒体に書き込んで前記暗号化コンテンツが複製された複製情報記録媒体を作成するコンテンツ情報複製装置と、前記コンテンツ暗号化装置で生成されるコンテンツ鍵を蓄積すると共に、前記情報記憶媒体の媒体情報の全部または一部を登録し、前記ユーザ端末装置から前記複製情報記録媒体のコンテンツ視聴要求時に提示される媒体情報または媒体情報及び前記ユーザ端末装置の装置固有情報を用いて前記視聴要求に対応するコンテンツ鍵を暗号化して暗号化コンテンツ鍵を生成するコンテンツ鍵暗号化装置と、前記暗号化コンテンツ複製装置から前記複製情報記録媒体それぞれの媒体情報を取得して蓄積し、前記ユーザ端末装置から前記複製情報記録媒体のコンテンツ視聴要求を受け付け、その受付時に前記複製情報記録媒体の媒体情報を取得して前記蓄積媒体情報と比較照合し位置した媒体情報を前記コンテンツ鍵暗号化装置に送り、当該装置からの暗号化コンテンツ鍵を、通信回線を通じて要求元のユーザ端末装置に配信する暗号化コンテンツ鍵配信装置とを備え、前記複製情報記憶媒体を視聴する際に、前記通信回線を介して前記コンテンツ鍵配信装置にアクセスするアクセス手段と、前記複製情報記憶媒体に記憶される媒体情報または媒体情報及び装置固有情報を提示することによって前記暗号化コンテンツ鍵配信装置から配信される暗号化コンテンツ鍵を取得する暗号化コンテンツ鍵取得手段と、前記暗号化コンテンツ鍵を前記複製情報記憶媒体に記憶される媒体情報または媒体情報及び装置固有情報に基づいて復号するコンテンツ鍵復号手段と、前記復号されたコンテンツ鍵を用いて前記複製情報記憶媒体に記録された暗号化コンテンツを復号再生するコンテンツ再生手段とを具備することを特徴とする。
【００１２】
また、本発明に係るユーザ管理装置は、コンテンツ情報が少なくとも媒体固有識別子及び媒体鍵情報の媒体情報と共に書き込まれた情報記憶媒体から前記コンテンツ情報を再生可能とするユーザ端末装置に対して前記コンテンツ情報の視聴を許可する情報提供システムであって、前記コンテンツ情報の著作権保有者または著作権管理者からコンテンツ情報と共にコンテンツ鍵生成条件を取得し、前記コンテンツ鍵生成条件を基にコンテンツ鍵を生成し、このコンテンツ鍵によって前記コンテンツ情報を暗号化して暗号化コンテンツを生成するコンテンツ暗号化装置と、前記コンテンツ暗号化装置で生成される暗号化コンテンツを前記媒体情報が書き込まれた情報記録媒体に書き込んで前記暗号化コンテンツが複製された複製情報記録媒体を作成するコンテンツ情報複製装置と、前記コンテンツ暗号化装置で生成されるコンテンツ鍵を蓄積すると共に、前記情報記憶媒体の媒体情報の全部または一部を登録し、前記ユーザ端末装置から前記複製情報記録媒体のコンテンツ視聴要求時に提示される媒体情報または媒体情報及び前記ユーザ端末装置の装置固有情報を用いて前記視聴要求に対応するコンテンツ鍵を暗号化して暗号化コンテンツ鍵を生成するコンテンツ鍵暗号化装置と、前記コンテンツ情報複製装置から前記複製情報記録媒体それぞれの媒体情報を取得して蓄積し、前記ユーザ端末装置から前記複製情報記録媒体のコンテンツ視聴要求を受け付け、その受付時に前記複製情報記録媒体の媒体情報を取得して前記蓄積媒体情報と比較照合し一致した媒体情報を前記コンテンツ鍵暗号化装置に送り、当該装置からの暗号化コンテンツ鍵を、通信回線を通じて要求元のユーザ端末装置に配信する暗号化コンテンツ鍵配信装置とを備える情報提供システムに用いられ、前記暗号化コンテンツ鍵配信装置の暗号化コンテンツ鍵配信先のユーザ情報を蓄積するユーザ情報蓄積手段と、前記暗号化コンテンツ鍵配信時に前記ユーザ情報蓄積手段を参照して配信先のユーザ端末装置に対する課金処理を行う課金処理手段とを具備することを特徴とする。
【発明の効果】
【００１３】
本発明によれば、膨大なデータ量を有する暗号化コンテンツは、情報記憶媒体にて複製され適宜配布されるため、膨大なデータ量を有するコンテンツ情報については、高速の通信回線を利用せずに配布可能として通信回線の負荷を軽減可能とする、あるいはユーザ登録前の利用を可能とする情報提供システムとそのコンテンツ情報複製装置、ユーザ端末装置及びユーザ管理装置を提供することができる。
【発明を実施するための最良の形態】
【００１４】
以下、図面を参照して本発明の実施の形態を詳細に説明する。
【００１５】
図１は本発明に係る情報提供システムとして、著作権保護機能を有するコンテンツ配信サービスを実現するシステムの一実施形態を示す機能ブロック図である。
【００１６】
図１に示すシステムにおいて、情報提供者側の装置は、コンテンツ暗号化装置１１、コンテンツ鍵暗号化装置１２、コンテンツ鍵配信装置１４、ユーザ管理装置１５に加え、暗号化コンテンツ複製装置１６を備える。一方、ユーザ側の装置として提供されるユーザ端末装置１７は、通信回線１０を介してコンテンツ鍵配信装置１４と通信を行う機能と、後述の複製情報記憶媒体１８に書き込まれているコンテンツ情報を読み出して再生を行う機能とを備える。
【００１７】
ここで、上記ユーザ端末装置１７には、機器製造事業者による製造時に、著作権保護のためのライセンス機関（図示せず）からライセンスを受けた機器鍵が、例えば内蔵ＲＯＭ１７１等に格納されている。また、複製情報記憶媒体１８は、例えばＣＰＲＭ対応の読み出し専用のディスク（ＤＶＤ−ＲＯＭ等）、または情報の書き込み、読み出しを可能とするディスク（ＤＶＤ−ＲＷ、ＤＶＤ−ＲＡＭ、ＳＤメモリ等）であり、媒体製造事業者によって製造される際に、媒体ごとにユニークに採番した固有の識別子（以下、媒体固有識別子）が付与される共に、ライセンス機関（図示せず）から予めライセンスされる媒体鍵情報が付与され、それぞれ制御情報格納領域に記録される。
【００１８】
上記のシステム構成は、暗号化コンテンツの提供を通信回線１０を利用せずに記録媒体経由で提供するもので、暗号化コンテンツ複製装置１６にて暗号化コンテンツを情報記憶媒体１８に合法に複製し、複製された情報記憶媒体１８を販売あるいは無料配布し、該当の複製情報記憶媒体１８を利用してのみ復号可能な暗号化コンテンツ鍵を通信回線１０経由でユーザ端末装置１７に配信する仕組みになっている。
【００１９】
以下、具体的に個々の装置構成を説明する。
【００２０】
図１において、コンテンツ暗号化装置１１は、コンテンツ受信部１１１で著作権保有者あるいは著作権管理者からコンテンツを受け取り、暗号化コンテンツ生成部１１２に送る。一方で、コンテンツ鍵生成部１１３で乱数等によるコンテンツ鍵を生成する。また、機器鍵格納部１１４には、予めライセンス機関（図示せず）からライセンスされ、ユーザ端末装置１７の再生機器にセットされている機器鍵が格納される。上記暗号化コンテンツ生成部１１２は、上記コンテンツ鍵と機器鍵をもとに受け取ったコンテンツの暗号化を行い、暗号化コンテンツを生成して、暗号化コンテンツ格納部１１５に格納する。
【００２１】
ここで、暗号化条件処理部１１６では、著作権保有者あるいは著作権管理者からの制約条件、ライセンス機関、媒体製造事業者、機器製造事業者などからの制約条件がある場合、必要に応じて暗号化コンテンツ生成部１１２に条件情報を提示する。また、オプション情報処理部１１７は、提供コンテンツに関するオプションがある場合に、そのオプション情報を暗号化コンテンツ生成部１１２に提示する。暗号化コンテンツ生成部１１２は、条件情報、オプション情報が提示された場合には、コンテンツ暗号化の際にそれらの情報を付加する。
【００２２】
オプション情報としては、著作権保有者あるいは著作権管理者を識別するための情報、コンテンツ配信装置１３を識別するための情報、コンテンツ鍵配信装置１４を識別するための情報、地域を識別するための情報、媒体製造事業者を識別するための情報、機器製造事業者を識別するための情報、コンテンツ識別情報、コンテンツ視聴条件を示す情報、コンテンツの制御付随情報などがある。制御付随情報としては、例えば、メニュー情報、コンテンツ内の遷移情報（サムネイル、メニューリンク等）、外部リンク情報（インターネットへの接続アドレス等）、ガイダンス情報（文字、静止画等）、バリアフリー情報（視聴覚障害者等に配慮するための情報）等がある。
【００２３】
生成された暗号化コンテンツは、暗号化コンテンツ複製装置１６に発行され、コンテンツを暗号化する際に用いたコンテンツ鍵はコンテンツ鍵暗号化装置１２に発行される。
【００２４】
コンテンツ鍵暗号化装置１２は、コンテンツ暗号化装置１１から受け取ったコンテンツ鍵をコンテンツ鍵格納部１２１にいったん格納する。一方で、予めライセンス機関から機器鍵情報を取得して機器鍵格納部１２２に格納しておき、後述のコンテンツ鍵配信装置１４、通信回線１０を通じて視聴要求しているユーザ端末装置１７から媒体情報（媒体鍵情報及び媒体固有識別子）を含むコンテンツ識別情報を取得する。そして、暗号化コンテンツ鍵生成部１２３にて、コンテンツ識別情報によって指定されるコンテンツに対応するコンテンツ鍵をコンテンツ鍵格納部１２１から取り込み、媒体情報の一部または全部、機器鍵（オプション情報がある場合にはオプション情報を含む）に基づいてコンテンツ鍵を暗号化し、生成された暗号化コンテンツ鍵を格納部１２４に格納し、暗号化コンテンツ鍵発行部１２５で認証情報を付加してコンテンツ鍵配信装置１４に渡す。
【００２５】
特に、このコンテンツ鍵暗号化装置１２では、複製媒体配布による暗号化コンテンツの正規復号を可能とするために、予めライセンス機関から複製媒体１８の媒体鍵情報を取得して媒体鍵情報格納部１２６に格納しておき、複製媒体１８に記録される暗号化コンテンツの視聴要求があったときは、媒体情報処理部１２７が該当する媒体鍵情報を格納部１２６から読み出して暗号化コンテンツ鍵生成部１２３に渡し、視聴要求のあった複製媒体１８に記録される暗号化コンテンツを再生する場合でのみ復号可能な暗号化コンテンツ鍵を発行する。
【００２６】
尚、媒体情報処理部１２７は、ライセンス機関からライセンスされ、保管されている媒体鍵情報がコンテンツ暗号化装置１１から取得した媒体鍵情報であるかのチェックを行い、一致しない場合、ライセンス機関からライセンスされているものとして保管するか、ライセンスされていないものとしてコンテンツ鍵の暗号化を中止するかのハンドリングを行う。
【００２７】
コンテンツ鍵配信装置１４において、媒体情報取得部１４１は、暗号化コンテンツ複製装置１６で媒体複製毎に発行させる媒体情報を複製コンテンツ識別情報と共に受け取り、媒体情報蓄積部１４２に格納しておく。媒体情報管理部１４３は、ユーザ端末装置１７からのアクセスを受け付け、視聴要求があったとき、ユーザ端末装置１７から通信回線１０を介して送られてくる情報記憶媒体の媒体情報を受け取る。そして、媒体情報蓄積部１４２の蓄積情報と比較照合して、該当するコンテンツ識別情報と共にコンテンツ鍵暗号化装置１２に通知し、暗号化コンテンツ鍵の発行を要求する。さらに、コンテンツ鍵暗号化装置１２で発行される暗号化コンテンツ鍵を受け取って暗号化コンテンツ鍵格納部１４４に格納する。暗号化コンテンツ鍵配信部１４５は、コンテンツ鍵配信の指示内容に基づいて、視聴要求元のユーザ端末装置１７に通信回線１０を介して配信する。
【００２８】
ユーザ管理装置１５は、予め登録ユーザの個人情報、視聴条件情報等を含むユーザ情報をユーザ情報蓄積部１５１に格納しておき、コンテンツ鍵配信装置１４に対してユーザ端末装置１７から通信回線１０を介してアクセスがあったとき、課金処理部１５２にて視聴要求ユーザの課金を行い、必要に応じて電子マネー（Web money）事業者との間で認証確認を行う。
【００２９】
ここで、ユーザ情報蓄積部１５１では、サービス加入者の課金処理を実現すためのユーザ情報を管理する。課金を要する場合、課金処理部１５２は電子マネー事業者の保有するWeb money等の認証システムに情報を送付し、課金可能か否かの情報を取得してその可否をコンテンツ鍵配信装置１４に通知する。
【００３０】
尚、ユーザ管理装置１５は、必ずしも用意する必要はなく、例えば電子マネーにより視聴料金を事前購入させておき、アクセス時にこれを提示させて視聴相当分を差し引くようにすれば、ユーザ管理装置１５を介さずに課金処理を実行することができる。
【００３１】
暗号化コンテンツ複製装置１６において、格納部１６１にはコンテンツ暗号化装置１１から送られてくる指定タイトルの暗号化コンテンツが格納される。暗号化コンテンツ複製部１６２は、格納部１６１から暗号化コンテンツを読み出して、ライセンス機関から媒体製造事業者にライセンスされた媒体鍵情報及び媒体製造事業者がユニークに採番した媒体固有識別子を有する情報記憶媒体（前述のＣＰＲＭ対応媒体）に書き込むことで、指定タイトルの暗号化コンテンツ複製媒体を作成する。このようにして作成された複製媒体１８は、販売あるいは無料配布により流通される。
【００３２】
上記複製処理において、必要に応じて情報記憶媒体内にオプション情報を付加する。オプション情報としては、先に述べた著作権保有者あるいは著作権管理者を識別するための情報、コンテンツ鍵配信装置を識別するための情報、鍵配信装置を識別するための情報、地域を識別するための情報、媒体製造事業者を識別するための情報、機器製造事業者を識別するための情報、コンテンツ識別情報、コンテンツ視聴条件を示す情報、コンテンツの制御付随情報などがある。
【００３３】
また、暗号化コンテンツを情報記憶媒体に複製する際、媒体情報発行部１６３において、その対象となる情報記憶媒体の媒体情報を取得し、コンテンツ鍵配信装置１４に発行する。この際、オプション情報として設定された情報の一部または、全部及び、課金の要・不要、課金要の場合の価格情報、期間で視聴が限定される場合の条件等を併せて発行することが望ましい。
【００３４】
上記システム構成において、以下に各主要部の処理動作を説明する。
【００３５】
まず、上記暗号化コンテンツ複製装置１６は、図２に示すように、複製指示を受けて（ＳＴ１１）、該当する暗号化コンテンツを読み出して情報記憶媒体１８に記憶し（ＳＴ１２）、オプション情報の有無を判断し（ＳＴ１３）、オプション情報有りの場合に、そのオプション情報を暗号化コンテンツと合わせて情報記憶媒体１８に追加記憶させる（ＳＴ１４）。さらに、記録した媒体１８の媒体情報を取得し、記録したコンテンツ識別情報を付加して、コンテンツ鍵配信装置１４に発行する（ＳＴ１５）。
【００３６】
ユーザ端末装置１７は、図３に示すように、媒体ドライブ１７４に複製媒体１８がセットされ、複製媒体１８の視聴要求があった場合（ＳＴ２１）、例えば複製媒体１８のオプション情報からアクセス先を読み取ってコンテンツ鍵配信装置１４にアクセスし（ＳＴ２２）、コンテンツ鍵配信装置１４から指示されるガイダンスに従って視聴条件等を指定する（ＳＴ２３）。このとき、媒体ドライブ１７４にセットされている複製情報記憶媒体１８の媒体情報の一部または全部及び、複製情報記憶媒体１８内あるいは保存されている暗号化コンテンツ内にオプション情報がある場合、必要に応じてその情報を取得し、コンテンツ鍵配信装置１４に発行する（ＳＴ２４）。この発行によってコンテンツ鍵配信装置１４から提供される暗号化コンテンツ鍵を暗号化コンテンツ鍵取得部１７５で受け取って格納部１７６に格納する（ＳＴ２５）。
【００３７】
複製情報記憶媒体１８に記憶された暗号化コンテンツの視聴要求に対し、暗号化コンテンツ復号部１７７は、まず、その暗号化コンテンツを復号するための暗号化コンテンツ鍵を格納部１７６から読み出して、媒体情報及び機器鍵を用いてコンテンツ鍵を復号し（ＳＴ２６）、このコンテンツ鍵を用いて媒体ドライブ１７４にて複製媒体１８から読み出される暗号化コンテンツを復号する（ＳＴ２７）。このようにして復号されたコンテンツはコンテンツ提示部１７８にて一定の条件のもとで提示される（ＳＴ２８）。すなわち、暗号化コンテンツ復号部１７７及びコンテンツ提示部１７８はユーザ要求処理部１７２を通じてユーザ操作の管理下で提示制御を受ける。これによってセットされた複製媒体１８の暗号化コンテンツの視聴が可能となる。
【００３８】
尚、上記実施形態において、コンテンツ鍵暗号化装置１２に暗号化コンテンツ鍵の発行要求を行う際、コンテンツを特定するためのコンテンツ識別情報が必要となるが、このコンテンツ識別情報は、コンテンツ暗号化装置１１にて暗号化コンテンツ内に付加し、暗号化コンテンツ複製装置１６にて複製情報記憶媒体１８内に付加してユーザ端末装置１７の媒体ドライブ１７４にてこれを取得し、媒体情報と共にコンテンツ鍵配信装置１４に発行するようにしてもよい。すなわち、著作権保有者・著作権管理者からの情報、コンテンツ暗号化装置１１からの情報、暗号化コンテンツ複製装置１６からの情報、コンテンツ鍵配信装置１４からの情報などにより媒体情報と関連づけてユーザ情報蓄積部１５１に保管され、ユーザ端末装置１７からの視聴要求を受け付けた際に、媒体情報管理部１４３がコンテンツ識別情報を取り出し、媒体情報取得部１４１に発行するようにしてもよい。
【００３９】
以上のように、上記実施形態のシステムでは、コンテンツ暗号化装置１１で暗号化コンテンツを生成し、暗号化コンテンツ複製装置１６にて暗号化コンテンツのみ単数または複数の情報記憶媒体１８に複製する。この際、必要に応じてオプション情報を付加しておく。複製情報記憶媒体１８は販売または無料配布されるものとする。
【００４０】
ユーザは、この複製情報記憶媒体１８を入手し、ユーザ端末装置１７に接続またはセットし、コンテンツ鍵配信装置１４にアクセスして、媒体情報の一部または全部をコンテンツ鍵配信装置１４に提示する。
【００４１】
コンテンツ鍵配信装置１４では、この提示情報を基に、コンテンツ鍵暗号化装置１２に暗号化コンテンツ鍵発行要求を行い、コンテンツ鍵暗号化装置１２では該当のコンテンツ鍵を抽出し、機器鍵の情報、媒体情報の一部または全部の情報、必要に応じてオプション情報をもとにコンテンツ鍵を暗号化し、コンテンツ鍵配信装置１４に発行する。そして、コンテンツ鍵配信装置１４からユーザ端末装置１７に配信される。
【００４２】
これにより、ユーザ側では、膨大なデータ量を有する暗号化コンテンツを通信回線を利用せずに入手可能となる。このため、通信回線の負荷軽減が実現でき、また、通信速度が遅い回線での利用も可能となる。
【００４３】
また、ユーザ登録を行わなくても著作権保護が成された形での利用が可能となり、Web money等の電子マネーを利用した課金によるスポット的な利用あるいは、非課金とし、プロモーション的な利用を実現することによりサービス加入への誘導も行える。また、上記実施形態では、ＣＰＲＭ対応の媒体を利用する場合について説明したが、ＡＡＣＳ対応の媒体を利用する場合でも同様に実施可能である。
【００４４】
尚、本発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４５】
【図１】本発明に係る情報提供システムの一実施形態の構成を示すブロック図。
【図２】図１の暗号化コンテンツ複製装置の処理の流れを具体的に説明するためのフローチャート。
【図３】図１のユーザ端末装置の処理の流れを具体的に説明するためのフローチャート。
【符号の説明】
【００４６】
１０…通信回線、１１…コンテンツ暗号化装置、１１１…コンテンツ受信部、１１２…暗号化コンテンツ生成部、１１３…コンテンツ鍵生成部、１１４…機器鍵格納部、１１５…暗号化コンテンツ格納部、１２…コンテンツ鍵暗号化装置、１２１…コンテンツ鍵格納部、１２２…機器鍵格納部、１２３…暗号化コンテンツ鍵生成部、１２４…暗号化コンテンツ鍵格納部、１２５…暗号化コンテンツ鍵発行部、１２６…媒体鍵情報格納部、１２７…媒体情報処理部、１４…コンテンツ鍵配信装置、１４１…媒体情報取得部、１４２…媒体情報蓄積部、１４３…媒体情報管理部、１４４…暗号化コンテンツ鍵格納部、１４５…暗号化コンテンツ鍵配信部、１５…ユーザ管理装置、１５１…ユーザ情報蓄積部、１５３…課金処理部、１６…暗号化コンテンツ複製装置、１６１…暗号化コンテンツ格納部、１６２…暗号化コンテンツ複製部、１６３…媒体情報発行部、１７…ユーザ端末装置、１７１…機器鍵格納部、１７２…ユーザ要求処理部、１７３…アクセス処理部、１７４…媒体ドライブ、１７５…暗号化コンテンツ鍵取得部、１７６…暗号化コンテンツ鍵格納部、１７７…暗号化コンテンツ復号部、１７８…コンテンツ提示部、１８…複製情報記憶媒体。
【図１】
2007110684.tif 000003
【図２】
2007110684.tif 000004
【図３】
2007110684.tif 000005